(57)【特許請求の範囲】
【請求項１】
少なくとも一つの電池を着脱するための開口部を有していて該開口部の奥に電池室を形成しており該電池室内には該電池を該電池室の外へ押し出すように付勢するばねが取り付けられている本体ケースと、先端にフック部を有していて前記開口部の内部に設けられており前記電池が前記電池室へ挿入されるときには前記電池に押され自己の習性に抗して該フック部が前記電池の通路外へ退かされ前記電池の挿入完了時には自己の習性で復帰して該フック部によって前記電池を係止する少なくとも一つのロック手段と、前記本体ケースに対して回転だけするようにして取り付けられており前記電池の着脱時においては該回転によって前記開口部を開閉すると共に前記開口部の閉鎖状態においては前記本体ケースに係合し且つ前記電池室側の面に設けられた抑止部が前記フック部と対向するように位置して該フック部が変位しないようにする蓋と、を備えていて、前記ロック手段は、前記電池の挿入方向に沿って前記フック部よりも前記ばね側の位置に設けられている回転軸を中心として、前記電池を係止する方向に回転するように付勢されていることを特徴とするカメラ又はその付属品の電池室の蓋開閉機構。
【請求項２】
前記抑止部が、前記蓋に枠状に形成された肉厚部の一部であることを特徴とする請求項１に記載のカメラ又はその付属品の電池室の蓋開閉機構。
【請求項３】
前記ロック手段が、前記本体ケースに一体に形成されたフック部であることを特徴とする請求項１又は２に記載のカメラ又はその付属品の電池室の蓋開閉機構。
【発明の詳細な説明】
【技術分野】
【０００１】
本発明は、カメラに設けられたり、カメラに対して着脱自在に取り付けられて使用される付属品に設けられて好適な電池室の蓋開閉機構に関する。
【背景技術】
【０００２】
最近では、殆どのカメラに電池室が設けられており、下記の特許文献１にも記載されているように、カメラの本体ケース（本体部品そのものである場合もあるし、本体部品と一体化された別部品の場合もある）に設けられた蓋を開閉することによって、電池を着脱できるようにしている。また、下記の特許文献２に記載されているように、カメラの付属品として、カメラに対し、取り付け、取り外しの可能な電池ホルダー（特許文献２では「バッテリパック」といっているが、本明細書では、電池ホルダーという）が知られているが、そのような電池ホルダーの場合にも、ホルダーの本体ケース（本体部品そのものである場合もあるし、本体部品と一体化された別部品の場合もある）に設けられた蓋を開閉し、電池室に電池を着脱できるようにしている。
【０００３】
このような電池室に収容される電池は、蓄電池の場合もあれば乾電池の場合もある。そして、蓄電池の場合には、実際には複数の蓄電池を内蔵していて外面に二つの電極を設けるようにしたパック化された電池の場合もある。また、下記の特許文献３には、通常は一つにパック化された蓄電池を使用しているが、電池切れなど蓄電池に不具合が生じたときには、蓄電池よりも手軽に入手できる乾電池も使えるようにするために、一つの電池室に、蓄電池を収容することも乾電池を収容することもできるようにしたデジタルカメラが記載されている。そして、特許文献２に記載されているような電池ホルダーの場合にも、蓄電池を収容することも乾電池を収容することもできるようにしたものが実際に市販されている。
【０００４】
【特許文献１】特開２００４−１７８９４８号公報
【特許文献２】特開２００４−２０７１５４号公報
【特許文献３】特開２００４−７９４３０号公報
【発明の開示】
【発明が解決しようとする課題】
【０００５】
ところで、特許文献１に記載されている蓋開閉機構は、蓋を開いておいて開口部から電池を挿入するとき、電池は、弾性変形可能な手段（特許文献１では「ストッパ」）を押しのけて電池室内へ挿入され、挿入後はその弾性変形可能な手段が原形に復帰することによって電池を係止するようにしている。そして、その後、蓋をケースに対して回転させることによって開口部を閉じるが、そのような回転操作をしただけでは、衝撃や振動が生じたときに、電池が、弾性変形可能な手段を電池室の内部側から押して変形させ、電池室内でガタついて電極部の接触不良を生じてしまうことがあるため、二段目の操作として、蓋をケースに対してスライドさせ、弾性変形可能な手段の係止部を押さえ込むようにしている。そのため、電池の着脱時における蓋の開閉操作が、回転とスライドとの二段操作になってしまい、面倒であるという問題点があった。
【０００６】
また、通常、カメラのケースは、全体として、略直方体をしていて、二つの大きな面と四つの細長い面を有しているが、電池室の蓋は、特許文献１，３にも記載されているように、細長い面に設けられるのが一般的である。ところが、最近のカメラは、特許文献３に記載されているカメラのように、非常に薄型化されてきているため、特許文献１に記載されているカメラのように、蓋を閉めるときに、蓋をカメラの厚さ方向（レンズの光軸と平行となる方向）へスライドさせるように構成することが極めて難しくなってきている。そのため、そのような場合には、蓋を、ケースの細長い面の長手方向にスライドさせることになるが、そのようにすると、蓋を回転させる場合には、特許文献３に記載されている二つの蓋のうち、乾電池着脱用の蓋のように、細長い方形蓋の一つの短辺位置で回転させることになるため、蓋を開いたとき、蓋がケースから大きく張り出してしまい、電池の着脱時に蓋を破壊してしまう可能性が大きくなってしまうという問題点がある。
【０００７】
更に、特許文献２に記載されている電池ホルダーの場合は、電池着脱用の蓋が明記されていないが、通常はこのような電池ホルダーにも、電池着脱用の蓋が設けられている。ところが、このような電池ホルダーに蓋を設ける場合にも、特許文献２の図面に記載されている電池ホルダーの全体形状を見れば分かるように、蓋を開閉するとき、回転とスライドの二段操作を行うような構成にすることは、上記のカメラの場合で説明したと同様に、決して好ましいことではないほか、小型のカメラに取付け可能なものの場合には、そのように構成することが極めて困難である。
【０００８】
そして、カメラの場合であっても電池ホルダーの場合であっても、蓋に、回転とスライドの両方を行わせるようにするためには、機構が複雑になってしまい、コスト高になってしまうという問題点がある。
【０００９】
本発明は、このような問題点を解決するためになされたものであり、その目的とするところは、電池室へ電池を挿入するときにはフック部が電池に押されて電池の通路外へ変位させられ、電池の挿入完了時には自己の習性によって復帰してフック部が電池を正規の装填状態に係止するロック手段が設けられており、電池の挿入後、蓋が閉じたときには、その蓋によって該ロック手段が電池の通路外への変位を抑止されるようにしたカメラ又はその付属品の電池室の蓋開閉機構であって、従来のように回転とスライドの二段操作をすることなく、回転をさせるだけで蓋を開閉させることが可能であり、且つ構成が簡単であってカメラやその付属品の小型化，低コスト化に有利となる電池室の蓋開閉機構を提供することである。
【課題を解決するための手段】
【００１０】
上記の目的を達成するために、本発明における、カメラ又はその付属品の電池室の蓋開閉機構は、少なくとも一つの電池を着脱するための開口部を有していて該開口部の奥に電池室を形成しており該電池室内には該電池を該電池室の外へ押し出すように付勢するばねが取り付けられている本体ケースと、先端にフック部を有していて前記開口部の内部に設けられており前記電池が前記電池室へ挿入されるときには前記電池に押され自己の習性に抗して該フック部が前記電池の通路外へ退かされ前記電池の挿入完了時には自己の習性で復帰して該フック部によって前記電池を係止する少なくとも一つのロック手段と、前記本体ケースに対して回転だけするようにして取り付けられており前記電池の着脱時においては該回転によって前記開口部を開閉すると共に前記開口部の閉鎖状態においては前記本体ケースに係合し且つ前記電池室側の面に設けられた抑止部が前記フック部と対向するように位置して該フック部が変位しないようにする蓋と、を備えていて、前記ロック手段は、前記電池の挿入方向に沿って前記フック部よりも前記ばね側の位置に設けられている回転軸を中心として、前記電池を係止する方向に回転するように付勢されているようにする。
【００１１】
その場合、前記抑止部が、前記蓋に枠状に形成された肉厚部の一部であるようにすると、小型化，低コスト化に有利な構成となる。また、前記ロック手段が、前記本体ケースに一体に形成されたフック部であるようにすると、一段と低コスト化に有利な構成になる。
【発明の効果】
【００１２】
本発明は、開口部の奥に電池室を形成している本体ケースと、本体ケースに取り付けられていて電池の着脱時に該開口部を開閉する蓋と、先端にフック部を有していて該開口部の内部に設けられていて電池が電池室へ挿入されるときには電池に押され自己の習性に抗してフック部が電池の通路外へ退かされ電池の挿入完了時には自己の習性で復帰してフック部によって電池を係止するロック手段と、を備えたカメラ又はその付属品の電池室の蓋開閉機構において、蓋の開閉操作は蓋を回転させるだけよいようにしたものであるから、従来よりも操作が非常に簡単であると共に、電池の挿入時には、蓋を回転させて閉じるだけで、蓋に設けた抑止部が、ロック手段のフック部を、電池の通路外へ変位し得ないようにしたので、構成が簡単であって、カメラ又はその付属品の小型化，低コスト化にとって極めて有効なものである。
【発明を実施するための最良の形態】
【００１３】
本発明を実施するための最良の形態を、図示した四つの実施例によって説明するが、それらの実施例は、いずれも、電池室にセットされる電池が、円柱形状の二つの蓄電池を一つにパック化し、外部に二つの電極を設けた蓄電池を用いる場合で構成されている。そして、実施例１，２，４は、そのような電池を二つセットする構成となっており、実施例３は一つだけセットする構成となっている。しかしながら、本発明は、そのようなパック化された蓄電池をセットするための電池室の蓋開閉機構に限定されるものでなく、他の蓄電池や乾電池をセットするための電池室の蓋開閉機構にも適用できるものである。
【００１４】
また、特許文献３においては、複数の電池を一つにパック化し、外部に二つの電極を設けた蓄電池のことを、バッテリーパックといっている。しかしながら、そのようにパック化された蓄電池は、実際には電池が複数であったとしても、ユーザーから見れば一つの蓄電池である。そのため、本発明では、そのようなパック化された蓄電池を一つの電池とみなしている。そこで、以下の各実施例の説明においても、パック化された蓄電池を一つの蓄電池として説明することにする。
【実施例１】
【００１５】
図１〜図３を用いて実施例１を説明する。図１は、本実施例の構成を採用した電池ホルダーを、蓋を開けた状態で示した斜視図であり、図２は、本実施例の要部を示した平面図であり、図３は、図２の下方から見た正面図である。図１に示されている電池ホルダー１は、図示していないカメラに取り付けられる電池ホルダーであって、カメラの三脚取付け用のねじ穴に螺合させるためのねじ部材１ａと、カメラに取り付けられたとき持ち易くするためのグリップ部１ｂと、カメラに取り付けられたときカメラ側の電極に接触する二つの電極部１ｃと、電池交換用の開口部１ｄとを有している。本実施例の場合は、このような電池ホルダー１の内部に、電池室ユニットが取り付けられている。そこで、次に、その電池室ユニットの構成を、主に図２及び図３を用いて説明するが、このユニットは、電池ホルダーのようなカメラの付属品に組み込むだけではなく、例えばビデオカメラのようなカメラに直接組み込むことも可能なものである。
【００１６】
本発明でいう本体ケースとは、カメラや付属品における本体部品そのものの場合もあるし、その本体部品に一体的に取り付けられる別部品であって、内部に電池室を構成しているものの場合もあるが、本実施例は、後者に属し、電池室ユニットとして構成したものであるため、その本体ケースは、主に上記のような電池ホルダー１の本体部品に対して、一体化し易く構成されている。即ち、本実施例における本体ケースは、図２における四隅で、明示していない手段によって相互に取り付けられた上ケース２と下ケース３とで構成されていて、その正面には、両者によって略長方形の開口部を形成している。そして、その開口部を開閉する蓋４は、その左右両端に設けられた二つの軸部４ａ，４ｂが下ケース３に回転可能に取り付けられていて、電池室側の面の左右両端近傍位置には突起状をした二つの抑止部４ｃ，４ｄを形成している。また、蓋４には、図３において略中央の上方位置に、つまみ５が取り付けられているが、このつまみ５は、その把持部を起立させて回転させると、電池室側に設けられている鉤部の回転位置が変わるようになっており、それによって、鉤部が上ケース２の開口部形成縁の内側に引っ掛かったり外れたりするようになっている。
【００１７】
電池室の内部には、上ケース２側から張り出した壁部２ａと、下ケース３側から張り出した壁部３ａとによって分離された二つの収容部が構成されている。上ケース２の壁部２ａは、電池室の奥の壁から蓋４側へ向けて、即ち、図２において上方から下方へ向けて張り出すように形成されており、上ケース２の上壁面（図３における上側の壁面）との間には、所定の間隔が空けられている。他方、下ケース３の壁部３ａも、電池室の奥の壁から蓋４側へ向けて張り出すように形成されているが、下ケース３の下壁面（図３における下側の壁面）との間には間隙がなく、つながっている。そして、壁部２ａと壁部３ａとは、図３において、壁部２ａの下端面と壁部３ａの上端面とを重ねて、隔壁部を構成しているが、その隔壁部の中は中空部となっている。
【００１８】
尚、この隔壁部は、後述する二つの蓄電池のガタツキを防止するためのものであるから、その目的が果たせるのであれば、どのような形状であっても構わない。例えば、図２における上下方向の長さについては、奥壁からの壁部２ａ，３ａの張り出し量を本実施例の１／３ぐらいに短くしてもよい。また、図２における左右方向の長さも短くしてもよく、極端な場合には、中空部を設けることなく、壁部２ａ，３ａの一方の厚さ分だけにしてもよい。更に、上ケース２には壁部２ａを形成せず、下ケース３の壁部３ａを上ケース２側へ延長して形成するようにしてもよい。また、本実施例は、上記のように、奥壁からの壁部２ａ，３ａの張り出し量を必要最小限とした場合、スペース的には、複数本の単３乾電池を横にして挿入できるように考慮されている。そして、そのようにする場合は、それらの乾電池をバラで挿入することも考えられるが、後述の説明からも分かるように、一つのケースに入れて挿入するようにする方が好ましい。そして、これらのことは、実施例２，４の場合も同じである。
【００１９】
電池室内において、上ケース２側の上壁側には、ベース板６が配置されている。このベース板６は、上ケース２の上壁面よりも若干小さい面積をしており、明示されていないが、下ケース３側から上ケース２側に向けて立設された四つの軸部の先端に、ねじによって取り付けられている。また、このベース板６の両端には、夫々、面積の小さな補助ベース板７，８が、ベース板６と平行になるようにして取り付けられており、ベース板６と補助ベース板７の間には、フック部９ａを有する第１ロック部材９が回転可能に取り付けられ、ベース板６と補助ベース板８の間には、フック部１０ａを有する第２ロック部材１０が回転可能に取り付けられている。
【００２０】
二つのロック部材９，１０のうち、第１ロック部材９は、ベース板６のばね掛け部６ａと第１ロック部材９のばね掛け部９ｂ（図２にのみ図示）に掛けられたばね１１により、図２において反時計方向へ回転するように付勢されているが、その回転は、ベース板６に設けられたストッパ部６ｂ（図２にのみ図示）によって阻止されるようになっている。他方、第２ロック部材１０は、ベース板６のばね掛け部６ｃと第２ロック部材１０のばね掛け部１０ｂ（図２にのみ図示）に掛けられたばね１２により、図２において時計方向へ回転するように付勢されているが、その回転は、ベース板６に設けられたストッパ部６ｄ（図２にのみ図示）によって阻止されるようになっている。
【００２１】
図２及び図３は、二つの蓄電池１３，１４が、各々の収容部に装填された状態を示しているが、上記したように、これらの電池は、実際には二つの蓄電池を一つにパック化したものであって、独特の外形をしている。そのため、下ケース３の下壁面には、蓄電池１３，１４の形状に合わせて異なる高さをした複数のリブが、格子状に形成されている。そして、それらのリブの形成状態は、図１から分かるようにしているが、図１においては、図面を見やすくするために、図３に示されているリブの数を減らして示してある。また、蓄電池１３，１４には、各々一対の電極部１３ａ，１４ａが設けられているが、上記のベース板６には、それらの電極部１３ａ，１４ａに接触させるための二対の接片部材６ｅ，６ｆが設けられている。そして、各々の収容部の奥壁には、蓄電池１３，１４を蓋４の方向へ付勢するばね１５，１６が取り付けられている。従って、蓄電池１３，１４は、図３における左右方向の動きを、壁部２ａ，３ａとロック部材９，１０の近接位置まで延伸している高さの高いリブとによって規制され、上下方向の動きを、複数のリブと接片部材６ｅ，６ｆとによって規制されるようになっている。尚、二対の接片部材６ｅ，６ｆは、図２において下方部をベース板６に取り付けていて、上方部の一部で電極部１３ａ，１４ａに接触するようになっている。
【００２２】
次に、本実施例における蓄電池１３，１４の着脱方法を説明する。図２及び図３は、蓄電池１３，１４の装填状態を示したものである。このとき、蓄電池１３，１４は、ばね１５，１６の付勢力によって、蓋４の方向へ押されているが、ロック部材９，１０のフック部９ａ，１０ａに係止され、この状態が維持されている。つまり、ばね１１，１２の付勢力と、フック部９ａ，１０ａの形状とから、フック部９ａ，１０ａのフック面と蓄電池１３，１４との間に作用する摩擦力の方が、ばね１５，１６の付勢力よりも大きいということである。ところが、この状態において強い衝撃が加わると、ロック部材９，１０が回転させられ且つ蓄電池１３，１４が蓋４の方向へ移動させられ得るようになって、電極部１３ａ，１４ａが接片部材６ｅ，６ｆと接触・非接触を繰り返し、電流の供給が不安定になってしまうおそれがあるが、本実施例の場合には、図２から分かるように、蓋４の閉鎖状態においては、蓋４に設けたられた抑止部４ｃ，４ｄがロック部材９，１０の回転を阻止する位置にあるため、蓄電池１３，１４のガタツキを最小限にとどめ、安定した電流の供給が可能となっている。
【００２３】
この状態から、蓄電池１３，１４を交換する場合には、先ず、つまみ５の把持部を起立させ、図３において時計方向へ回転させる。それによって、電池室側に設けられているつまみ５の鉤部が、上ケース２の開口部形成縁から外れるので、つまみ５をそのまま手前に引くと、蓋４は、軸部４ａ，４ｂにおいて、ヒンジのようにして回転し、上ケース２と下ケース３とによって形成された開口部を開く。このとき、不用意に、蓋４を下に向けて開いてしまっても、蓄電池１３，１４がロック部材９，１０のフック部９ａ，１０ａに係止されているので、電池室から落下してしまうようなことはない。そこで、開口部を上に向けておき、ばね１１，１２の付勢力に抗して指でフック部９ａ，１０ａを押し、その係止を解除すると、蓄電池１３，１４が、ばね１５，１６の付勢力によって、その一部を電池室外へ突出させるので、指でつまんで引き出すことになる。このようにして、蓄電池１３，１４を電池室から引き出した状態が、図１に示された状態である。そして、この状態のときには、ロック部材９，１０は、ばね１１，１２の付勢力によってストッパ部６ｂ，６ｄに当接するまで回転させられ、図３に示した状態に復帰して、フック部９ａ，１０ａを蓄電池１３，１４の通路内へ臨ませている。
【００２４】
その後、新しい蓄電池１３，１４や、充電後の蓄電池１３，１４を、順次、電池室に挿入するときは、蓄電池１３，１４が、通路内へ臨んでいるフック部９ａ，１０ａを押すことになるが、フック部９ａ，１０ａの被押動面は斜面となっているため、カム作用によって、ロック部材９，１０は、ばね１１，１２の付勢力に抗して回転させられ、フック部９ａ，１０ａを通路外へ退かす。そのため、蓄電池１３，１４の挿入は可能となるが、このときの挿入が抵抗感なく行えるようにするためにも、ばね１１，１２の付勢力は余り大きくしていない。そして、蓄電池１３，１４が、ばね１５，１６を圧縮させ、電極部１３ａ，１４ａを接片部材６ｅ，６ｆに接触させた位置まで挿入されると、ロック部材９，１０は、ばね１１，１２の付勢力によって回転し、蓄電池１３，１４を係止し得るようになる。従って、その段階で、蓄電池１３，１４を押し込む力を解くと、蓄電池１３，１４は、ばね１５，１６の付勢力によって若干戻り、ロック部材９，１０のフック部９ａ，１０ａによって係止された状態になる。そこで、蓋４を閉め、つまみ５を反時計方向へ回転させると、電池室側に設けられている鉤部が、上ケース２の開口部形成縁の内側に入り込むので、つまみ５の把持部から指を離しても、蓋４の閉じ状態が維持され、図２及び図３に示された状態になる。
【００２５】
尚、本実施例の場合は、蓄電池１３，１４を係止するロック手段の構成として、ロック部材９，１０を独立の部材とし、それらを、ばね１１，１２によって付勢するようにしているが、本体ケースと一体化された合成樹脂製の板状部に、可撓性を有するフック部を一体成形にて形成するようにすれば、極めて低コストな構成にすることができる。また、本実施例の場合には、蓋４を、本体ケースの一部である下ケース３に対して回転可能に取り付けているが、下ケース３も蓋４も合成樹脂製とし、蓋４は、下ケース３に対して折り曲げ可能に一体成形されているようにしても構わない。更に、本実施例は、本体ケースを構成している上ケース２と下ケース３とが、電池ホルダー１とは別部品として製作されていて、それを電池ホルダー１に一体化させる場合で説明しているが、例えば、図１において、電池ホルダー１を本体ケースとし、それを上下二つの合成樹脂部品にしておき、上ケース２に相当する部位を上側の部品に一体成形で形成し、下ケース３に相当する部位を下側の部品に一体成形で形成しておき、それらの二つの部品を相互に組み付けて電池室が形成されているようにしても差し支えない。そして、これらのことは、下記の各実施例の場合にも言えることである。
【実施例２】
【００２６】
図４及び図５を用いて実施例２を説明する。本実施例も実施例１と同様に、電池ホルダーに採用し易いように構成したものであって、図４は、そのユニットを示した平面図であり、図５は、図４の下方から見た正面図である。本実施例の構成は、実施例１の構成に一部の部材、部位を付加したものである。そのため、実施例１の場合と同じ部材、部位には同じ符号を付け、それらについての説明を省略する。実施例１の構成と異なる点は、実施例１においては、ベース板６の左右方向の両端に、補助ベース板７，８が、ベース板６と平行になるようにして取り付けられていたが、本実施例の場合には、それらの補助ベース板７，８に加えて、ベース板６の左右方向の略中央部に、補助ベース板７，８よりも長い補助ベース板１７が、ベース板６と平行になるようにして取り付けられている。そして、ベース板６と補助ベース板１７の間には、フック部１８ａを有する第３ロック部材１８と、フック部１９ａを有する第４ロック部材１９が回転可能に取り付けられている。
【００２７】
それらのロック部材１８，１９のうち、第３ロック部材１８は、ベース板６のばね掛け部６ｇと第３ロック部材１８のばね掛け部１８ｂ（図４にのみ図示）に掛けられたばね２０により、図４において時計方向へ回転するように付勢されているが、その回転は、ベース板６に設けられたストッパ部６ｈ（図４にのみ図示）によって阻止されるようになっている。他方、第４ロック部材１９は、ベース板６のばね掛け部６ｉと第４ロック部材１９のばね掛け部１９ｂ（図４にのみ図示）に掛けられたばね２１により、図４において反時計方向へ回転するように付勢されているが、その回転は、ベース板６に設けられたストッパ部６ｊ（図４にのみ図示）によって阻止されるようになっている。そして、本実施例の場合には、蓋４に、抑止部４ｃ，４ｄのほかに、二つのロック部材１８，１９の回転を阻止するための抑止部４ｅ，４ｆが形成されている。
【００２８】
このように、本実施例においては、一つの蓄電池を二つのロック部材によって係止するようにしているが、このように構成することによって、蓄電池のガタツキを最小限に止め得るようにしていると共に、いかなる場合でも蓄電池を安定した姿勢に保ち、カメラへの電流の供給が安定して得られるようにしている。尚、本実施例の蓋４には、抑止部４ｅ，４ｆを別々に設けているが、それらを一つの抑止部として構成しても差し支えない。また、本実施例の場合のおける蓄電池１３，１４の着脱は、実施例１の場合に準じて行われるので、その説明を省略する。
【実施例３】
【００２９】
図６及び図７を用いて実施例３を説明する。本実施例は、蓄電池を一つだけ収容できるようにするために、実施例１の左約半分を一つの電池室ユニットとして構成したものである。図６は、そのユニットを示した平面図であり、図７は、図６の下方から見た正面図である。これらの図からも分かるように、本実施例は、実施例１における蓄電池１４の収容部と第２ロック部材１０とを無くすと共に、蓋４の左右方向の長さを約半分とし、つまみ５の位置を、蓄電池１３の正面に移動させたものである。そのため、実施例１の構成部材、部位と同じであるか対応している部材、部位には、実施例１の場合と同じ符号を付け、それらについての説明を省略する。本実施例は、このように構成したことによって、電池ホルダーのようなカメラの付属品のほかに、カメラ本体内へも直接組み込み易くしたものである。尚、本実施例の場合には、ロック部材を一つだけ設けているが、実施例２のように、第３ロック部材１８に相当する部材を、第３ロック部材１８と同じようにして設けても差し支えない。
【実施例４】
【００３０】
図８及び図９を用いて実施例４を説明する。本実施例も実施例１と同様に、電池ホルダーに採用し易いように構成したものであって、図８は、そのユニットを示した平面図であり、図９は、図８の下方から見た正面図である。本実施例の構成は、実施例１における蓋４と二つのロック部材９，１０の形状が異なるだけであって、その他の部材、部位は、実施例１の場合と全く同じである。そのため、それらの同じ部材、部位には、実施例１の場合と同じ符号を付け、それらについての説明を省略し、蓋４と二つのロック部材９，１０の異なる形状についてだけ説明することにする。
【００３１】
本実施例の蓋４には、実施例１の蓋４に形成されていた突起状の二つの抑止部４ｃ，４ｄが形成されていない。しかも、本実施例の蓋４は、実施例１の蓋４よりも全体が薄く形成されている。そのため、本実施例の蓋４には、その薄さを補強する意味もあって、蓋４の内側に、蓋４の縁に沿って「ロ」字状に突き出た肉厚部４ｇを形成している。また、本実施例の二つのロック部材９，１０は、回転軸から先端までの長さが、実施例１の二つのロック部材９，１０よりも長く形成されている。従って、本実施例の場合には、蓄電池１３，１４を装填している状態において衝撃が加わり、ロック部材９，１０が蓄電池１３，１４に押されて回転しようとした場合には、ロック部材９，１０の先端が肉厚部４ｇの内側の側面の一部に当接し、阻止されるようになっている。従って、それらの被当接部は、実施例１の抑止部４ｃ，４ｄと同じ役目を有した抑止部であるともいえる。
【００３２】
また、本実施例の場合にも、実施例２の場合と同様に、第３ロック部材１８と第４ロック部材１９を設けるようにすることが可能であるが、そのようにする場合には、図９において、蓋４の略中央部の上下にわたり、一つ又は二つの肉厚部を帯状に形成することになる。更に、本実施例における蓋４と第１ロック部材９の形状は、実施例３に採用することも可能である。
【図面の簡単な説明】
【００３３】
【図１】本発明を電池ホルダーに適用した実施例１の斜視図である。
【図２】図１における要部を示した平面図である。
【図３】図２を下方から見た正面図である。
【図４】実施例２の平面図である。
【図５】図４を下方から見た正面図である。
【図６】実施例３の平面図である。
【図７】図６を下方から見た正面図である。
【図８】実施例４の平面図である。
【図９】図８を下方から見た正面図である。
【符号の説明】
【００３４】
１                            電池ホルダー
１ａ                          ねじ部材
１ｂ                          グリップ部
１ｃ，１３ａ，１４ａ          電極部
１ｄ                          開口部
２                            上ケース
２ａ，３ａ                    壁部
３                            下ケース
４                            蓋
４ａ，４ｂ                    軸部
４ｃ，４ｄ，４ｅ，４ｆ        抑止部
４ｇ                          肉厚部
５                            つまみ
６                            ベース板
６ａ，６ｃ，６ｇ，６ｉ，９ｂ，１０ｂ，１８ｂ，１９ｂ  ばね掛け部
６ｂ，６ｄ，６ｈ，６ｊ        ストッパ部
６ｅ，６ｆ                    接片部材
７，８，１７                  補助ベース板
９                            第１ロック部材
９ａ，１０ａ，１８ａ，１９ａ  フック部
１０                          第２ロック部材
１１，１２，１５，１６，２０，２１  ばね
１３，１４                    蓄電池
１８                          第３ロック部材
１９                          第４ロック部材
【図１】
0005207584.tif 000002
【図２】
0005207584.tif 000003
【図３】
0005207584.tif 000004
【図４】
0005207584.tif 000005
【図５】
0005207584.tif 000006
【図６】
0005207584.tif 000007
【図７】
0005207584.tif 000008
【図８】
0005207584.tif 000009
【図９】
0005207584.tif 000010